(57)【要約】【課題】月極駐車場として使用しているスペースを一時的な時間借り駐車場として機能させる一方、精算機や駐車ゲートを設置せずに運営する。【解決手段】月極車両の位置を検知する月極車両位置検知手段が当該月極車両が月極駐車場の外にあることを検知した場合には、時間貸しが可能である旨の時間貸し可能データを発信する。その時間貸し可能データを取得した車両が当該月極駐車場を予約する旨の時間借り予約データを送信した場合にその予約データを受信する。その予約データを発信した車両の位置を検知し、その予約データに係る車両が予約データに係る月極駐車場にて駐車を開始した旨、および当該月極駐車場を離れた旨を検知する。その駐車開始判断および駐車終了判断に基づいて課金データを作成する課金データ作成手段を備える。【選択図】    図３
2004310227.tif 000002
【特許請求の範囲】
【請求項１】
月極駐車場を時間貸しするためのシステムであって、
月極車両の位置を検知する月極車両位置検知手段と、
その月極車両位置検知手段によって当該月極車両が月極駐車場の外にあることを検知した場合には、時間貸しが可能である旨の時間貸し可能データを発信する時間貸し可能データ送信手段と、
その時間貸し可能データを取得した車両が当該月極駐車場を予約する旨の時間借り予約データを送信した場合にその予約データを受信する時間借り予約データ受信手段と、
その予約データを発信した車両の位置を検知する予約車両検知手段と、
その予約データに係る車両が予約データに係る月極駐車場にて駐車を開始した旨を判断する駐車開始判断手段と、
その予約データに係る車両が当該月極駐車場を離れた旨を検知する駐車終了判断手段と、
駐車開始判断手段および駐車終了判断手段に基づいて課金データを作成する課金データ作成手段とを備えた月極駐車場管理システム。
【請求項２】
時間貸しされている駐車場に関するデータを蓄積する駐車場管理データベースと、
駐車場の場所および時間帯による検索が可能な検索エンジンとを備えるとともに、
時間借り予約データ受信手段によって予約データを受信した場合および駐車終了判断手段によって予約データに係る車両が当該月極駐車場を離れた旨を検知した場合には、駐車場管理データベースを更新することとした請求項１記載の月極駐車場管理システム。
【請求項３】
月極駐車場を出た月極車両から戻り予定時刻を受信する戻り予定時刻受信手段を備え、
その戻り予定時刻受信手段が受信した戻り予定時刻に基づいて時間貸し可能データベースを更新することとした請求項２記載の月極駐車場管理システム。
【請求項４】
月極駐車場を出る月極車両に対しては、戻り予定時刻の送信を要求する予定要求送信手段を備えた請求項３記載の月極駐車場管理システム。
【請求項５】
時間貸し可能データは、予め登録された契約者にのみアクセス可能であるように形成した請求項１から請求項４のいずれかに記載の月極駐車場管理システム。
【請求項６】
月極駐車場を時間貸しするための管理方法であって、
月極駐車場の時間借りを希望する車両および時間借りを希望する車両を予め登録する登録手順と、
月極車両の位置を検知する月極車両位置検知手順と、
その月極車両位置検知手順によって当該月極車両が月極駐車場の外にあることを検知した場合には、時間貸しが可能である旨の時間貸し可能データを発信する時間貸し可能データ送信手順と、
その時間貸し可能データを取得した車両が当該月極駐車場を予約する旨の時間借り予約データを送信した場合にその予約データを受信する時間借り予約データ受信手順と、
その予約データを発信した車両の位置を検知する予約車両検知手順と、
その予約データに係る車両が予約データに係る月極駐車場にて駐車を開始した旨を判断する駐車開始判断手順と、
その予約データに係る車両が当該月極駐車場を離れた旨を検知する駐車終了判断手順と、
駐車開始判断手順および駐車終了判断手順に基づいて課金データを作成する課金データ作成手順とを備えた月極駐車場管理方法。
【請求項７】
時間貸しされている駐車場に関するデータを駐車場管理データベースに蓄積する駐車場管理データ蓄積手順と、
時間借り予約データ受信手順によって予約データを受信した場合および駐車終了判断手順によって予約データに係る車両が当該月極駐車場を離れた旨を検知した場合には、駐車場管理データベースを更新する管理データ更新手順とを備えた請求項６記載の月極駐車場管理方法。
【請求項８】
月極駐車場を出る月極車両に対しては、戻り予定時刻の送信を要求する予定要求送信手順と、
月極駐車場を出た月極車両から戻り予定時刻を受信する戻り予定時刻受信手順と、
その戻り予定時刻受信手順にて受信した戻り予定時刻に基づいて時間貸し可能データベースを更新する戻りデータ更新手順とを備えた請求項６または請求項７のいずれかに記載の月極駐車場管理方法。
【請求項９】
コンピュータに対して月極駐車場を時間貸しするための管理方法を実現させるためのコンピュータプログラムであって、
そのプログラムは、月極駐車場の時間借りを希望する車両および時間借りを希望する車両を予め登録する登録手順と、
時間貸しされている駐車場に関するデータを駐車場管理データベースに蓄積する駐車場管理データ蓄積手順と、
月極車両の位置を検知する月極車両位置検知手順と、
その月極車両位置検知手順によって当該月極車両が月極駐車場の外にあることを検知した場合には、時間貸しが可能である旨の時間貸し可能データを発信する時間貸し可能データ送信手順と、
その時間貸し可能データを取得した車両が当該月極駐車場を予約する旨の時間借り予約データを送信した場合にその予約データを受信する時間借り予約データ受信手順と、
その予約データを発信した車両の位置を検知する予約車両検知手順と、
その予約データに係る車両が予約データに係る月極駐車場にて駐車を開始した旨を判断する駐車開始判断手順と、
その予約データに係る車両が当該月極駐車場を離れた旨を検知する駐車終了判断手順と、
駐車開始判断手順および駐車終了判断手順に基づいて課金データを作成する課金データ作成手順とをコンピュータに実行させるためのコンピュータプログラム。
【発明の詳細な説明】
【０００１】
【発明が属する技術分野】
本発明は、次世代ＧＰＳを利用して駐車場管理を行う技術に関する。特に、月極駐車スペースを時間貸しも可能であるように、管理運営することを補助する技術である。
【０００２】
【先行技術】
銀行が契約して銀行利用者に提供している駐車場を、銀行の定休日に時間貸しをするといったビジネスは、既に広く行われている。
さて、本願発明に関連する先行技術として、特開２００２−１７５３７４号を抽出した。
この文献には、インターネットを通じて、駐車場供給者が各駐車場供給者の都合に合わせたスケジュールで駐車スペースを登録し、利用者が検索および予約できる駐車場管理の技術が開示されている。
【０００３】
【特許文献１】
特開２００２−１７５３７４号公報
【０００４】
また、特開２００２−２６００２９号には、月極駐車場の場所及び空き時間帯を公表して駐車場の予約を受け付けるシステムが開示されている。この技術は、特開２００２−１７５３７４号と異なり、月極駐車場が既に契約されている場合であっても、当該駐車場を有効利用できるという利点がある。
【０００５】
【特許文献２】
特開２００２−２６００２９号公報
【０００６】
【発明が解決しようとする課題】
ところで、月極駐車場として使用しているスペースを一時的な時間貸し駐車場として機能させるためには、駐車場管理用の設備、例えば精算機や駐車ゲートが必要となる。このため、わずか数台の駐車スペースに採用するには、設備コストに見合う収益をあげるには長期間を要してしまう。
【０００７】
そこで、本発明が解決しようとする課題は、月極駐車場として使用しているスペースを一時的な時間貸し駐車場として機能させる一方、精算機や駐車ゲートを設置せずに運営できる技術を提供することにある。
ここで、請求項１から請求項５に記載の発明の目的は、月極駐車場として使用しているスペースを一時的な時間貸し駐車場として機能させる一方、精算機や駐車ゲートを設置せずに運営できるシステムを提供することにある。
また、請求項６から請求項８に記載の発明の目的は、月極駐車場として使用しているスペースを一時的な時間貸し駐車場として機能させる一方、精算機や駐車ゲートを設置せずに運営できる駐車場管理方法を提供することにある。
さらに、請求項９に記載の発明の目的は、月極駐車場として使用しているスペースを一時的な時間貸し駐車場として機能させる一方、精算機や駐車ゲートを設置せずに運営できる駐車場管理方法を実現させるためのコンピュータプログラムを提供することにある。
【０００８】
【課題を解決するための手段】
本発明は、上記した課題を解決するため、特にＧＰＳを用いた通信システム技術およびコンピュータによる情報処理技術を用いる。
【０００９】
（請求項１）
請求項１記載の発明は、月極駐車場を時間貸しするためのシステムに係る。
すなわち、月極車両の位置を検知する月極車両位置検知手段と、  その月極車両位置検知手段によって当該月極車両が月極駐車場の外にあることを検知した場合には、時間貸しが可能である旨の時間貸し可能データを発信する時間貸し可能データ送信手段と、  その時間貸し可能データを取得した車両が当該月極駐車場を予約する旨の時間借り予約データを送信した場合にその予約データを受信する時間借り予約データ受信手段と、  その予約データを発信した車両の位置を検知する予約車両検知手段と、  その予約データに係る車両が予約データに係る月極駐車場にて駐車を開始した旨を判断する駐車開始判断手段と、  その予約データに係る車両が当該月極駐車場を離れた旨を検知する駐車終了判断手段と、  駐車開始判断手段および駐車終了判断手段に基づいて課金データを作成する課金データ作成手段とを備えた月極駐車場管理システムである。
【００１０】
（用語説明）
「月極車両」とは、本願発明における月極駐車場に対して月単位での契約を締結して当該駐車場への駐車が自由に行える車両をいう。
「月極車両位置検知手段」における「車両位置検知手段」とは、次世代ＧＰＳを用いての位置検出を行うものである。次世代ＧＰＳは、数十センチメートル単位での位置検出が可能である。次世代ＧＰＳを搭載した車両は、例えばエンジンを掛けるスイッチが入り、その車両の位置情報が取得でき、当該駐車場に駐車しているのか否かまでが検出できる。
【００１１】
「時間貸し可能データ」の発信先は、他の請求項で限定するように予め登録された車両である場合の他、専用の駐車場予約サイトあるいは当該サイトへのデータ更新作業を行うデータセンター等である。
「予約データ」は、車両の特定、駐車場の特定、駐車開始予定時刻、駐車終了予定時刻などのデータからなる。
「予約車両検知手段」における「車両位置検知手段」もまた、次世代ＧＰＳを用いての位置検出を行うものである。検知開始は、予約データの受信時である場合の他、予約手続き完了時や２４時間体制での検知の場合もある。
【００１２】
「駐車開始判断手段」もまた、次世代ＧＰＳを用いての位置検出を行うものである。なお、駐車場位置と停止位置とが一致していることの確認や、停止時間が所定時間（例えば３分）を経過したことの確認などの条件に基づいて、駐車開始を判断する。
「課金データ作成手段」は、時間借り車両の特定、駐車開始時刻、駐車終了時刻などの必要なデータを用いて課金データを作成する。課金配分は、月極車両の契約者およびシステム運営者にて取り決めた割合にて配分する。
【００１３】
（作用）
月極車両位置検知手段が月極車両の位置を検知し、その月極車両位置検知手段によって当該月極車両が月極駐車場の外にあることを検知した場合には、時間貸しが可能である旨の時間貸し可能データを時間貸し可能データ送信手段が発信する。何らかの手段によってその時間貸し可能データを取得した車両が、当該月極駐車場を予約する旨の時間借り予約データを送信した場合には、その予約データを時間借り予約データ受信手段が受信する。
続いて、その予約データを発信した車両の位置を予約車両検知手段が検知し、その予約データに係る車両が予約データに係る月極駐車場に位置したら、駐車を開始した旨を駐車開始判断手段が判断する。また、予約車両検知手段が車両の位置を検知し続け、その予約データに係る車両が当該月極駐車場を離れた旨を検知した場合には、駐車終了判断手段が駐車を終了したと判断する。そして、駐車開始判断手段および駐車終了判断手段に基づいて、課金データ作成手段が課金データを作成する。
【００１４】
以上のような作用を奏するので、駐車されていない月極駐車場を有効活用できる。また、一時的な時間貸し駐車場として機能するものの、駐車場管理用の設備（精算機や駐車ゲート）が不要である。また、時間貸し駐車場である旨の看板や表示が不要であり、更にそのような表示や看板がないので違法駐車がなされる可能性も低い。更には、１台分の駐車スペースでも時間貸し駐車場として活用できる。
なお、月極車両の契約者としては、自らの駐車スペースから収益を上げることができ、実質的に月極契約料を下げることができる。
【００１５】
（請求項２）
請求項２記載の発明は、請求項１記載の月極駐車場管理システムを限定したものである。
すなわち、時間貸しされている駐車場に関するデータを蓄積する駐車場管理データベースと、  駐車場の場所および時間帯による検索が可能な検索エンジンとを備えるとともに、  時間借り予約データ受信手段によって予約データを受信した場合および駐車終了判断手段によって予約データに係る車両が当該月極駐車場を離れた旨を検知した場合には、駐車場管理データベースを更新することとした月極駐車場管理システムに係る。
【００１６】
（作用）
時間貸しされている駐車場に関するデータを駐車場管理データベースが蓄積する。その駐車場管理データベースは、駐車場の場所および時間帯による検索が可能な検索エンジンとを備えているので、駐車可能な駐車場を検索できる。時間借り予約データ受信手段によって予約データを受信した場合および駐車終了判断手段によって予約データに係る車両が当該月極駐車場を離れた旨を検知した場合には、駐車場管理データベースを更新するので、ダブルブッキング（二重予約）を未然に回避できる。
【００１７】
（請求項３）
請求項３記載の発明は、請求項２記載の月極駐車場管理システムを限定したものであり、
月極駐車場を出た月極車両から戻り予定時刻を受信する戻り予定時刻受信手段を備え、  その戻り予定時刻受信手段が受信した戻り予定時刻に基づいて時間貸し可能データベースを更新することとした月極駐車場管理システムに係る。
【００１８】
（作用）
戻り予定時刻受信手段が月極駐車場を出た月極車両から戻り予定時刻を受信し、受信した戻り予定時刻に基づいて時間貸し可能データベースを更新するので、ダブルブッキング（二重予約）を未然に回避できる。
【００１９】
（請求項４）
請求項４記載の発明は、請求項３記載の月極駐車場管理システムを限定したものであり、
月極駐車場を出る月極車両に対しては、戻り予定時刻の送信を要求する予定要求送信手段を備えた月極駐車場管理システムに係る。
【００２０】
（作用）
月極駐車場を出る月極車両に対しては、予定要求送信手段が戻り予定時刻の送信を要求する。月極車両がその要求に応じて戻り予定時刻の送信してきた場合には、受信した戻り予定時刻に基づいて時間貸し可能データベースを更新しダブルブッキング（二重予約）を未然に回避する。
なお、戻り予定時刻の送信がない場合には、予めスケジュールなどを登録している場合を除いて、時間貸しができないものとして扱うのが一般的である。
【００２１】
（請求項５）
請求項５記載の発明は、請求項１から請求項４のいずれかに記載の月極駐車場管理システムを限定したものであり、
時間貸し可能データは、予め登録された契約者にのみアクセス可能であるように形成した月極駐車場管理システムに係る。
時間貸し可能データの利用を、いわゆる会員制として限定しようというものであり、システム側から時間貸し可能データを提供する場合も含む。契約者となるための登録をするには、駐車の対象となる車両に次世代ＧＰＳを搭載し、且つ当該車両の位置データを本システムが取得することを許可する、といった条件が課される。
【００２２】
（作用）
時間貸し可能データは、予め登録された契約者にのみアクセス可能である。換言すれば、月極駐車場が契約者のみにしか時間貸し駐車場として開放されない。このため、課金および料金徴収のシステムの運営などが簡便化される。具体的には、時間貸し駐車料金の精算を、予め登録した銀行口座から引き落とすことが可能であり、登録制を採用しない場合に比べて課金および料金徴収のシステムが簡便となる。
【００２３】
（請求項６）
請求項６記載の発明は、月極駐車場を時間貸しするための管理方法に係る。
すなわち、月極駐車場の時間借りを希望する車両および時間借りを希望する車両を予め登録する登録手順と、  月極車両の位置を検知する月極車両位置検知手順と、  その月極車両位置検知手順によって当該月極車両が月極駐車場の外にあることを検知した場合には、時間貸しが可能である旨の時間貸し可能データを発信する時間貸し可能データ送信手順と、  その時間貸し可能データを取得した車両が当該月極駐車場を予約する旨の時間借り予約データを送信した場合にその予約データを受信する時間借り予約データ受信手順と、  その予約データを発信した車両の位置を検知する予約車両検知手順と、  その予約データに係る車両が予約データに係る月極駐車場にて駐車を開始した旨を判断する駐車開始判断手順と、  その予約データに係る車両が当該月極駐車場を離れた旨を検知する駐車終了判断手順と、  駐車開始判断手順および駐車終了判断手順に基づいて課金データを作成する課金データ作成手順とを備えた月極駐車場管理方法である。
【００２４】
（請求項７）
請求項７記載の発明は、請求項６記載の月極駐車場管理方法を限定したものである。
すなわち、時間貸しされている駐車場に関するデータを駐車場管理データベースに蓄積する駐車場管理データ蓄積手順と、  時間借り予約データ受信手順によって予約データを受信した場合および駐車終了判断手順によって予約データに係る車両が当該月極駐車場を離れた旨を検知した場合には、駐車場管理データベースを更新する管理データ更新手順とを備えた月極駐車場管理方法に係る。
【００２５】
（請求項８）
請求項８記載の発明は、請求項６または請求項７のいずれかに記載の月極駐車場管理方法を限定したものである。
すなわち、月極駐車場を出る月極車両に対しては、戻り予定時刻の送信を要求する予定要求送信手順と、  月極駐車場を出た月極車両から戻り予定時刻を受信する戻り予定時刻受信手順と、  その戻り予定時刻受信手順にて受信した戻り予定時刻に基づいて時間貸し可能データベースを更新する戻りデータ更新手順とを備えた月極駐車場管理方法に係る。
【００２６】
（請求項９）
請求項９記載の発明は、コンピュータに対して月極駐車場を時間貸しするための管理方法を実現させるためのコンピュータプログラムに係る。
そのプログラムは、月極駐車場の時間借りを希望する車両および時間借りを希望する車両を予め登録する登録手順と、  時間貸しされている駐車場に関するデータを駐車場管理データベースに蓄積する駐車場管理データ蓄積手順と、  月極車両の位置を検知する月極車両位置検知手順と、  その月極車両位置検知手順によって当該月極車両が月極駐車場の外にあることを検知した場合には、時間貸しが可能である旨の時間貸し可能データを発信する時間貸し可能データ送信手順と、  その時間貸し可能データを取得した車両が当該月極駐車場を予約する旨の時間借り予約データを送信した場合にその予約データを受信する時間借り予約データ受信手順と、  その予約データを発信した車両の位置を検知する予約車両検知手順と、  その予約データに係る車両が予約データに係る月極駐車場にて駐車を開始した旨を判断する駐車開始判断手順と、  その予約データに係る車両が当該月極駐車場を離れた旨を検知する駐車終了判断手順と、  駐車開始判断手順および駐車終了判断手順に基づいて課金データを作成する課金データ作成手順とをコンピュータに実行させるためのコンピュータプログラムである。
【００２７】
上記プログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−ＲＯＭ、ＭＯ（光磁気ディスク）、ＤＶＤ−ＲＯＭなどである。
また、これらの発明に係るプログラムを格納したコンピュータから、通信回線を通じて他のコンピュータへ伝送することも可能である。
また、汎用的な端末装置に対して、請求項９に記載の発明に係るコンピュータプログラムをプリインストール、あるいはダウンロードすることで、他の請求項に係るシステム（サーバ）を形成することも可能である。
【００２８】
【発明の実施の形態】
以下、本発明を実施の形態及び図面に基づいて、更に詳しく説明する。ここで使用する図面は、図１乃至図４である。
【００２９】
（図１）
図１は、月極駐車スペースを中心に、月極車両と時間借り車両とがどのように動き、どのような情報処理がなされているかを、フローチャートとともに示したものである。
本システムの運営の前提として、次世代ＧＰＳを中心とした車両位置検知装置が、時間貸しを希望する車両（「月極車両」と略記）、および予め会員登録をした時間借りを希望する車両（「時間借り車両」と略記）の位置を把握している。また、本システムは、当該月極車両が駐車契約した月極駐車スペースの位置を予めデータベースに登録し、把握している。
【００３０】
本システムは、月極車両の位置を次世代ＧＰＳによって把握しており、月極駐車スペースの外にあるのか中にあるのかを把握する。中にあれば、時間貸しは行えず、外にあれば時間貸しが可能となる。時間借り車両へ時間貸しが可能である旨を伝達する手順や、予約手順などについては後述する。
時間貸しを開始したら、時間貸しの管理を行い、時間貸しについての課金を時間借り車両に対して行う。この課金は、会員登録の際に要求した銀行口座番号などのデータによって引き落とすこととしており、通常の時間貸し駐車場のように精算機や車止めなどの設備を必要としない。
【００３１】
会員登録について補足する。月極駐車場の時間借りを希望する者は、前述のように、料金引き落とし用銀行口座などのデータの他、次世代ＧＰＳによって位置を把握可能な車両を登録する。また、時間貸し可能データの送信先として、車両に付属する情報端末装置のアドレスか、携帯電話などの移動体通信端末のアドレスを登録する。その登録アドレスに対しては、時間貸し可能データの他、各種の情報が本システムから送信可能となる。
【００３２】
月極スペースの借り主すなわち月極車両に係る者もまた、次世代ＧＰＳによって位置を把握可能な車両、駐車スペースの位置を登録する。また、時間貸し可能データの送信先として、車両に付属する情報端末装置のアドレスか、携帯電話などの移動体通信端末のアドレスを登録する。その登録アドレスに対しては、時間貸しに関する確認など、各種の情報が本システムから送信可能となる。更に、時間貸しが可能な時間帯などを予め予定できる場合には、本システムに対してスケジュールデータを送信しておくこともできる。その他、時間貸しによって本システムが徴収した料金の分配金を振り込む銀行口座番号なども登録しておく。
【００３３】
（図２）
図２は、本システムが月極車両の動きを把握することによって時間借り車両へどのような情報を伝達するか、時間借り車両の動きを把握することによって月極車両へどんな情報を伝達するかを示している。
月極車両が月極駐車スペースを出れば、時間借り車両に対しては時間貸し可能データが発信される。または、時間貸し車両が時間貸し可能データを積極的に取りにゆく。時間借り車両が月極駐車スペースへ入ったら課金管理を行う。そして、時間借り車両が月極駐車スペースを出たら課金管理を終了し、月極車両に対して時間貸しが終了して駐車が可能となった旨の駐車可能データを送信する。
【００３４】
時間借りの開始、すなわち課金の開始判断については、一般には「３分間管理」と称しており、月極駐車スペースへ入ってから３分間を経過したら、駐車を開始したと判断する。
なお、月極車両から時間貸し可能時間帯についてのデータを把握し、時間借り車両に対しては、駐車可能時間を超過しないように督促などの手順を備えることもできる。
【００３５】
（図３）
図３は、本システム、月極車両および時間借り車両がどのような機能（手段）を備え、どのような情報をやりとりしているかを示している。
前述した会員登録に基づき、時間借り車両に関するデータは、時間借り車両データベース（図中、データベースは「ＤＢ」と略記）や、駐車場管理データベースを作成して管理している。
まず、月極車両の位置データを車両位置発信手段が発信し、本システムの月極車両位置検知手段が受信取得する。その位置データが月極駐車スペースの外であった場合には、時間借り車両へ時間貸し可能データとして提供する。提供の方法としては、本システムが検索サイトを時間借り車両に係る者へ閲覧可能であるように提供する方法や、時間借り車両が希望する駐車場所、日時などを登録しているような場合に電子メールなどの手段で送信する方法などがある。前記した二種類の方法を含めるため、図では「時間貸し可能データ送信（閲覧）手段」と記載している。
【００３６】
検索サイトを時間借り車両に係る者へ閲覧可能である場合には、時間貸し駐車場検索手段を用いて時間貸し可能データを検索する。希望する駐車場所、日時などを登録しているような場合には、時間貸し駐車場受信手段が時間貸し可能データを受信することとしてもよい。
会員が駐車スペースおよび駐車時間を検索する場合、本システムの駐車場管理データベースにアクセスし、マッチングさせて抽出する。時間借りの予約を受け付ける場合の予約情報には、駐車開始予定時刻、駐車終了予定時刻が含まれる。
時間貸し可能データを取得した時間借り車両は、時間借り予約データ送信手段を用いて予約データを送信する。現在位置から月極駐車スペースまでの最短ルートを検索して、当該ルート情報を所用予定時間とともに時間借り車両へ送信することとしてもよい。送信された予約データは、本システムにおける時間貸し予約データ受信手段にて受信する。受信した予約データは、駐車場管理データベースへ蓄積する。
【００３７】
予約データの授受が終わると、時間借り車両の位置データを車両位置発信手段が発信し、本システムの予約車両検知手段が受信取得する。そして月極駐車スペースへ入ったか否かを駐車開始判断手段が判断する。駐車を開始したと判断した場合には課金管理を開始する。そして、時間借り車両の位置データを取得し続け、月極駐車スペースから外へ出た場合には、駐車終了判断手段が駐車を終了したと判断する。このとき月極車両に対して、時間貸しが終了した旨を連絡し、月極車両が安心して戻ってこられるようにしてもよい。
一方、駐車終了時の時刻データに基づいて課金データ作成手段が課金データを作成する。そして、その課金データを課金データベースへ蓄積するとともに、時間借り車両へ送信する。
【００３８】
（図４）
図４は、月極車両がＡ，Ｂの二台あり、時間借り車両Ｃが駐車スペースを検索して予約を完了するまでを示したものである。
月極車両Ａ，Ｂがそれぞれ戻り予定時刻送信手段によって戻り予定時刻を本システムへ送信する。その戻り予定時刻は、本システムの戻り予定所刻受信手段が受信する。具体的には、月極車両Ａが１２：００、月極車両Ｂが１６：００として送信する。このデータに基づき、駐車場管理データベースへ時間貸し可能データが蓄積される。
【００３９】
さて、時間借り車両Ｃに係る者についての操作手順は、図中に括弧書きの数字で示しており、その順に説明する。
本システムの駐車場管理データベースへアクセスして自分が希望する駐車を検索する（１）。駐車希望は１１：００〜１３：３０であったとする。一方、駐車場管理データベースには、月極車両Ａが１２：００、月極車両Ｂが１６：００という戻り時間が登録されている。このため、駐車スペースＡは１２：００までが時間貸し可能データとなっており、駐車スペースＢは１６：００までが時間貸し可能データとなっている。すると、検索結果として、駐車スペースＢが検索結果として得られることとなる（２）。
【００４０】
さて、時間借り車両Ｃに係る者は、この検索結果から予約をするか否かを判断する（３）。そして、予約を決意したら、時間借り予約データ送信手段によって予約データを送信する（４）。この時の予約データには、駐車希望車両（Ｃ）、駐車を希望する場所（Ｂ用）、駐車開始希望時刻（１１：００）、および駐車終了予定時刻（１３：３０）が含まれる。
本システムへ送信された予約データは、時間貸し予約データ受信手段が受信し、受信した予約データによって駐車場管理データベースのデータを更新する（５）。
予約完了以後については、前述したので省略する。
【００４１】
（時間借り車両の駐車延長希望）
図示は省略するが、駐車時間の延長について説明する。
まず、時間借り車両から駐車時間の延長依頼を受信する。そして、現在の月極駐車スペースが駐車延長可能か否かを判断する。可能であれば、可能である旨を返信するとともに、時間借り車両の位置データ取得、課金データの取得などを継続する。
不能であれば、再駐車が可能な近隣の他の時間貸し駐車スペースを検索する。そして、他の駐車スペースへの移動を指示するための各種データ（当該駐車スペースへの移動経路など）を、当該時間借り車両へ送信する。
【００４２】
駐車終了の予定時刻をすぎても移動しない時間借り車両に対しては、本システムから時間借り車両に係る者の携帯電話などへ予定時刻である旨を連絡する。時間借り車両に係る者への連絡が付かないような場合であって、当該月極車両の戻り予定時刻が迫った場合には、代替駐車スペースを提供するなどの指示を当該月極車両へ送信する。加えて、時間借り車両に係る者に対しては、無断延長への罰金などを通知する。
【００４３】
【発明の効果】
請求項１から請求項５に記載の発明によれば、月極駐車場として使用しているスペースを一時的な時間借り駐車場として機能させる一方、精算機や駐車ゲートを設置せずに運営できるシステムを提供することができた。
また、請求項６から請求項８に記載の発明によれば、月極駐車場として使用しているスペースを一時的な時間借り駐車場として機能させる一方、精算機や駐車ゲートを設置せずに運営できる駐車場管理方法を提供することができた。
さらに、請求項９に記載の発明によれば、月極駐車場として使用しているスペースを一時的な時間借り駐車場として機能させる一方、精算機や駐車ゲートを設置せずに運営できる駐車場管理方法を実現させるためのコンピュータプログラムを提供することができた。
【図面の簡単な説明】
【図１】月極駐車スペースを固定して、本発明の全体概念を示す図である。
【図２】月極車両と時間借り車両との動きを中心に、本発明の全体概念を示す図である。
【図３】時間借り車両が駐車可能データを受信してから課金されるまでを示す概念図である。
【図４】月極車両Ａ，Ｂからの情報に基づいて、時間借り可能な駐車スペースのデータベースを運用する様子を示す概念図である。
【図１】
2004310227.tif 000003
【図２】
2004310227.tif 000004
【図３】
2004310227.tif 000005
【図４】
2004310227.tif 000006